(57)【要約】【課題】インバータに入力するクロック信号をランダムに変化させ、ノイズの影響を受けた画素の位置の固定を防ぎ、スジの発生を防ぐ。【解決手段】画像読取装置（スキャナ１）は、原稿に光を照射するランプと、ランプに接続され、ランプの電極に印加する電圧の大きさを切り換え、ランプを点灯させるインバータと、原稿に照射された光が入射され、１ライン毎に原稿を読み取るイメージセンサと、イメージセンサの１ライン周期ごとの同期をとるための同期信号を発生する同期信号生成部と、クロック信号を発生し、ランダムにクロック信号のクロック周波数を変化させるクロック信号発生部と、を備え、インバータは、クロック信号が入力されるとともに、クロック信号に基づきランプの電極に印加する電圧の大きさを切り換える。【選択図】図７
2010028497.tif 000002
【特許請求の範囲】
【請求項１】
原稿に光を照射するランプと、
前記ランプに接続され、前記ランプの電極に印加する電圧の大きさを切り換えて、前記ランプを点灯させるインバータと、
前記原稿に照射された光が入射され、１ライン毎に原稿を読み取るイメージセンサと、
前記イメージセンサの１ライン周期ごとの同期をとるための同期信号を発生する同期信号生成部と、
クロック信号を発生し、ランダムに前記クロック信号のクロック周波数を変化させるクロック信号発生部と、を備え、
前記インバータは、前記クロック信号が入力されるとともに、前記クロック信号に基づき前記ランプの電極に印加する電圧の大きさを切り換えることを特徴とする画像読取装置。
【請求項２】
前記クロック信号発生部には、前記同期信号が入力され、
前記クロック信号発生部は、前記同期信号が入力されるごとに、ランダムにクロック周波数を変化させることを特徴とする請求項１記載の画像読取装置。
【請求項３】
前記クロック信号発生部は、１ラインあたりの周期内のランプ点灯回数が、基準となる周波数のクロック信号を前記インバータに入力した際の１ラインあたりの周期内のランプ点灯回数と、所定回数以上異ならない範囲でランダムにクロック周波数を変化させることを特徴とする請求項１又は２記載の画像読取装置。
【請求項４】
前記ランプと前記イメージセンサは、コンタクトイメージセンサユニットとして、一体的に構成されることを特徴とする請求項１乃至３のいずれか１項に記載の画像読取装置。
【請求項５】
前記クロック信号発生部に発生させるクロック周波数をランダムに決定するプログラムを記憶するメモリ部を有し、
前記クロック信号発生部は、前記プログラムにより決定されたクロック周波数に基づきランダムにクロック周波数を変化させることを特徴とする請求項１乃至４のいずれか１項に記載の画像読取装置。
【請求項６】
前記クロック信号発生部は、発生するクロック信号をランダムに変化させるクロック発振器であることを特徴とする請求項１乃至４のいずれか１項に記載の画像読取装置。
【請求項７】
前記請求項１乃至請求項６のいずれか１項に記載の画像読取装置を備えたことを特徴とする画像形成装置。
【発明の詳細な説明】
【技術分野】
【０００１】
本発明は、スキャナ等の原稿の読取を行う画像読取装置に関する。又、この画像読取装置を備えた画像形成装置に関する。
【背景技術】
【０００２】
従来、原稿読取を行い、画像データを出力する画像読取装置がある。又、複写機、複合機、ＦＡＸ装置等の画像形成装置に、コピーやスキャンのため、画像読取装置が装備される。一般に、画像読取装置は、原稿に対し光を照射する光源を備え、原稿の反射光をイメージセンサに導き、画像データを得る。又、画像読取装置のイメージセンサは、一般にラインセンサであり、１ラインごとに読み取りを行う。具体的に、１ラインあたりの周期の間に反射光の光量に応じてライン内の各光電変換素子（各画素）で電荷を蓄え、蓄えられた電荷を画像信号として取り出し、最終的にディジタルの原稿の画像データを得る。ここで、光源の光量は一定でないと、各ラインで蓄積される電荷量に差が生じ、スジ、ムラが発生することがある。
【０００３】
このような、各ラインでの蓄積光量を一定にしようとする画像形成装置の一例が特許文献１に記載されている。具体的に、特許文献１には、所定領域を照明する光源と、光源の点灯および消灯を制御する点灯制御回路と、所定領域からの反射光を取り込み光電変換した画信号を所定時間蓄積して該画信号を出力する蓄積型イメージセンサと、を備えた画像読取装置において、前記点灯制御回路を、蓄積型イメージセンサが原稿の所定領域の画信号を蓄積している間に、光源を複数回点灯および消灯させる画像読取装置が記載されている。この構成により、蓄積型イメージセンサが画信号を蓄積している間に、原稿を照明する光源を複数回点灯および消灯させるので、原稿を搬送するタイミングによる影響を少なくして原稿の搬送ムラによる画質の劣化を低減し、原稿を照明する光量を一定にしようとする。尚、光源としてはＬＥＤが示されている。（特許文献１：請求項１、段落［０００７］、［００３２］、図４等参照）。
【特許文献１】特開平０７−１３５５５５号
【発明の開示】
【発明が解決しようとする課題】
【０００４】
ここで、一般に、画像読取装置の光源には、必要光量確保やコスト等の観点から、ＬＥＤではなく、例えば、冷陰極管等の放電を利用して発光するランプが用いられることがある。この放電により発光するランプは、クロック信号に応じて動作するインバータにより交流電圧が電極に印加され、ランプは、厳密には短時間に点滅を繰り返す。そして、通常、各ラインの周期間にインバータに入力するクロック信号数を一定として、１ラインにおけるランプの発光回数、即ち、１ラインの蓄積光量を一定にして、各ラインでの光量を均一化する。これにより、同一濃度のものを読み取っても、イメージセンサに蓄積される電荷量がラインごとに異ならず、濃淡のスジ、しまの発生を防ぐことができる。例えば、１ラインあたりの周波数（１ラインあたりの周期の逆数）を整数倍すれば、クロック周波数となる関係として、インバータにクロックを入力する。
【０００５】
しかし、インバータの出力、即ち、ランプへの印加電圧には、決まったタイミングでノイズが生ずることがある。例えば、インバータが半導体スイッチング素子により、矩形波状の交流を出力する場合、インバータの構成や負荷等により、極性反転時にオーバーシュート、アンダーシュートが生ずることがある。このオーバーシュート、アンダーシュート時、インバータに大きな電流が流れ、発生磁界等も大きくなり、又、高周波成分の存在等で、矩形波の立ち上がり、立ち下がり時にインバータから発生するノイズが大きくなる。
【０００６】
そうすると、特に、画像読取装置の読取方式が、ＣＩＳ（Contact Image Sensor）方式である場合など、インバータやランプと、イメージセンサの距離が近い場合があり、イメージセンサのライン状の画素のうち、ほぼ決まった位置の画素がノイズの影響を受け、原稿の画像データのうち、副走査方向に延びるスジが発生する場合があるという問題がある。これは、イメージセンサの各画素（各光電変換素子）からの電荷取り出しタイミングが一定であることや、インバータとイメージセンサの位置関係等が要因として考えられ、経験的にスジの発生は、確認されている。
【０００７】
尚、特許文献１記載の発明は、確かに、原稿を照明する光量を一定とし得るが、ＬＥＤにより露光を行う画像読取装置であり（特許文献１：段落［００１８］等参照）、光源の種類が異なる。又、特許文献１には、放電を利用したランプにおけるノイズを理由とするスジの発生問題に対しての記載はなく、特許文献１記載の画像読取装置は、上記の問題を解決することはできない。
【０００８】
本発明は、上記従来技術の問題点に鑑み、インバータに入力するクロック信号をランダムに変化させ、インバータを動作させて、ノイズの影響を受けた画素の位置を分散させ、ノイズの影響を受けた画素の位置の固定を防ぎ、スジの発生を防ぐことを課題とする。
【課題を解決するための手段】
【０００９】
上記目的を達成するために、請求項１に係る画像読取装置は、原稿に光を照射するランプと、前記ランプに接続され、前記ランプの電極に印加する電圧の大きさを切り換えて、前記ランプを点灯させるインバータと、前記原稿に照射された光が入射され、１ライン毎に原稿を読み取るイメージセンサと、前記イメージセンサの１ライン周期ごとの同期をとるための同期信号を発生する同期信号生成部と、クロック信号を発生し、ランダムに前記クロック信号のクロック周波数を変化させるクロック信号発生部と、を備え、前記インバータは、前記クロック信号が入力されるとともに、前記クロック信号に基づき前記ランプの電極に印加する電圧の大きさを切り換えることとした。
【００１０】
この構成によれば、クロック信号発生部が、ランダムにクロック信号のクロック周波数を変化させてクロック信号を出力し、インバータは、ランダムに変化するクロック信号に基づき、ランプに印加する電圧の大きさを切り換えるので、例えば、オーバーシュートを要因とするインバータからのノイズの発生タイミングをずらすことができる。従って、ノイズの影響を受けたラインにおける画素の位置がランダムにずらされ、分散されるので、スジの発生を防ぐことができる。
【００１１】
又、請求項２に係る発明は、請求項１記載の発明において、前記クロック信号発生部には、前記同期信号が入力され、前記クロック信号発生部は、前記同期信号が入力されるごとに、ランダムにクロック周波数を変化させることとした。この構成によれば、クロック信号発生部は、同期信号が入力されるごとに、ランダムにクロック周波数を変化させるので、１ラインの周期ごとにクロック周波数を変えることができる。従って、ノイズの影響を受けた画素の位置を１ラインごとに確実にずらすことができ、スジの発生が防がれる。
【００１２】
又、請求項３に係る発明は、請求項１又は２の発明において、前記クロック信号発生部は、１ラインあたりの周期内のランプ点灯回数が、基準となる周波数のクロック信号を前記インバータに入力した際の１ラインあたりの周期内のランプ点灯回数と、所定回数以上異ならない範囲でランダムにクロック周波数を変化させることとした。
【００１３】
この構成によれば、制御部が生成したクロック信号をインバータに入力した際の１ラインあたりの周期内のランプ点灯回数と、所定回数以上異ならない範囲でランダムにクロック周波数を変化させるので、１ラインあたりの蓄積光量の変化を許容範囲内に抑えることができる。例えば、１ラインあたりの基準の発光回数を１０回と仮定し、所定回数を０．５回とすれば、発光回数が９．５回〜１０．５回の範囲の発光回数となるように、クロック周波数が変化する。これにより、１ラインあたりの蓄積光量が劇的に変化することを防ぐことができる。
【００１４】
又、請求項４に係る発明は、請求項１乃至３の発明において、前記ランプと前記イメージセンサは、コンタクトイメージセンサユニットとして一体的に構成されることとした。特に、ランプとイメージセンサが接近して配されるＣＩＳ方式ではランプ印加電圧のノイズの影響がイメージセンサに出やすいが、この構成によれば、ＣＩＳ方式の画像読取装置であっても、ノイズに起因するスジの発生を防ぐことができる。
【００１５】
又、請求項５に係る発明は、請求項１乃至４の発明において、前記クロック信号発生部に発生させるクロック周波数をランダムに決定するプログラムを記憶するメモリ部を有し、前記クロック信号発生部は、前記プログラムにより決定されたクロック周波数に基づきランダムにクロック周波数を変化させることとした。この構成は、本発明の好適な実施形態の１つであって、ＣＰＵ等によるソフトウェアによる計算によって、クロック周波数を変化させることができ、クロック周波数をランダムに変化させるための特別な回路構成が不要となり、画像読取装置の製造コストの削減を図ることができる。
【００１６】
又、請求項６に係る発明は、請求項１乃至４の発明において、前記クロック信号発生部は、発生するクロック信号をランダムに変化させるクロック発振器であることとした。この構成は、本発明の好適な実施形態の１つであって、前記クロック信号発生部は、発生するクロック信号をランダムに変化させるクロック発振器としてハードウェア化したものであり、ソフトウェア制御を行う場合に比べ、ＣＰＵ等の制御、演算素子の処理負担を軽減することができる。
【００１７】
又、請求項７に係る画像形成装置は、前記請求項１乃至請求項６のいずれか１項に記載の画像読取装置を備えることとした。この構成によれば、ノイズを要因とするスジの発生のない高品質の印刷を行うことができる画像形成装置を提供することができる。
【発明の効果】
【００１８】
上述の通り、本発明によれば、インバータやランプの電極等から発生するノイズの影響で、読み取った画像データにスジが現れることを防ぐことができる。
【発明を実施するための最良の形態】
【００１９】
以下、本発明の第１の実施形態について図１〜７を参照しつつ説明する。但し、本実施の形態に記載されている構成、配置等の各要素は、発明の範囲を限定するものではなく単なる説明例にすぎない。
【００２０】
（画像形成装置の概略）
まず、図１を用いて、本発明の第１の実施形態におけるスキャナ１（画像読取装置に相当）を備えた電子写真方式の複写機２（画像形成装置に相当）の概略を説明する。図１は、本発明の第１の実施形態に係る複写機２の概略構成を示す正面視模型的断面図である。
【００２１】
図１に示すように、本実施形態に係る複写機２は、上方にスキャナ１が配される。スキャナ１は、主として、上方の原稿を搬送する原稿搬送部３（原稿搬送装置に相当）と、原稿搬送部３の下方に配され、原稿に光を照射し、反射光により読取を行う画像読取部４から構成される。尚、スキャナ１の詳細な説明は、後述する。
【００２２】
次に、複写機２内部の構成、動作について説明する。複写機２は内部に、シート供給部５０、シート搬送路５２、画像形成部６０、定着部６７等を備え、画像読取部４の下方位置に排紙空間が設けられる。そこで、これらの構成をシートの搬送経路に沿って説明する。尚、図１に複写機２内でのシートの搬送経路を実線矢印で図示する。
【００２３】
まず、シート供給部５０は、複写機２の最下部に設けられ、例えば、コピー用紙、ＯＨＰシート、ラベルシート等の各種、各サイズ（Ａ４、Ｂ５等）のシートを収容する。そして、シート供給部５０のシート搬送方向下流側上方に、給紙ローラ５１が設けられる。給紙ローラ５１は、最上位のシートに当接し、シート供給の際、所定の方向（図１では時計方向）に回転駆動し、シートを１枚ずつシート搬送路５２に送り出す。
【００２４】
シート搬送路５２は、本実施形態では、複写機２内でシートを搬送し、シート供給部５０から画像形成部６０を経て、排出トレイ５３までシートを搬送する。そして、シート搬送路５２には、駆動機構（不図示）により回転駆動する搬送ローラ対５４や、シートを案内するための複数のガイド板（不図示）や、形成されたトナー像に合わせてシートを送り出すレジストローラ対５５や、シート排出のための排出ローラ対５６等が設けられる。
【００２５】
画像形成部６０は、図１において、複写機２内の中央左方の位置に配され、スキャナ１が読み取った原稿の画像データや、複写機２に入力された画像データ等に基づき、トナー像を形成し、シートに転写を行う。そして、画像形成部６０は、像担持体としての感光体ドラム６１、帯電装置６２、露光装置６３、現像装置６４、転写ローラ６５、清掃装置６６等で構成される。感光体ドラム６１は、画像形成部６０の略中央に配され、駆動装置（不図示）によって所定の方向（図１では時計方向）に回転駆動し、外周面にアモルファスシリコン等の感光層を有する。帯電装置６２は、図１の感光体ドラム６１の右斜め上方に対向して配され、所定の電位で感光体ドラム６１の周面を帯電させる。尚、コロナ放電式のものの他、帯電ローラ、ブラシ等を用いても良い。
【００２６】
露光装置６３は、図１における感光体ドラム６１及び帯電装置６２の右側方に配され、帯電後の感光体ドラム６１の周面に、形成すべき画像の画像データに基づき光（例えば、レーザ光）を照射し、周面を走査・露光し、感光体ドラム６１の周面に画像データに対応した静電潜像が形成される。現像装置６４は、図１において感光体ドラム６１の下方に設けられ、収容するトナーを所定の電位に帯電させ、そのトナーを静電潜像に供給し、静電潜像がトナー像として現像される。
【００２７】
転写ローラ６５は、図１において、感光体ドラム６１の左斜め下方に回転可能に支持され、感光体ドラム６１上に形成されたトナー像をシートに転写する。そのため、転写ローラ６５は、感光体ドラム６１に当接しニップを形成する。そして、このニップにシートが進入し転写ローラ６５にトナーの帯電極性と逆極性の電圧が印加され、トナー像のシートへの転写がなされる。清掃装置６６は、図１において、感光体ドラム６１の上方に配され、感光体ドラム６１の周面上の残トナーや塵芥等を除去、回収する。
【００２８】
定着部６７は、本実施形態では、加熱ローラ６８、加圧ローラ６９等を有し、シートに転写されたトナー像を加圧・加熱しシートに固着させる。加熱ローラ６８は内部に発熱体Ｈが内蔵され、加圧ローラ６９と加熱ローラ６８は、互いに圧接してニップを形成する。このニップにトナー像が転写されたシートが進入し、トナーの定着が行われる。定着完了後のシートは、排出ローラ対５６により、排出トレイ５３に排出される。
【００２９】
（スキャナ１の構成）
次に、図２を用いて、本発明の第１の実施形態に係るスキャナ１の詳細を説明する。図２は、本発明の第１の実施形態に係る複写機２のスキャナ１部分の拡大模型的断面図である。まず、原稿搬送部３について説明する。
【００３０】
原稿搬送部３は、読み取りを行う原稿を１枚ずつ、自動的に連続して読み取り位置に搬送し、原稿搬送方向上流側から順に、原稿載置トレイ３１、原稿供給ローラ３２、原稿搬送路３３、複数の原稿搬送ローラ対３４、原稿排出ローラ対３５、原稿排出トレイ３６等を備える。又、原稿搬送部３は、画像読取部４の上方に図２の紙面奥側を支点として画像読取部４に上下方向に開閉自在に取り付けられ、画像読取部４のコンタクトガラス（送り読取用コンタクトガラス４１ａ及び載置読取用コンタクトガラス４１ｂ）を上方から押さえるカバーとして機能する。
【００３１】
原稿載置トレイ３１は、複数枚の原稿を載置でき、原稿搬送路３３の上流端に接続される。尚、原稿載置トレイ３１は、図２に示すように、原稿載置トレイ３１に原稿が載置されていることを検出するための、例えば、反射型の光センサ等の原稿検知センサ３７を備える。そして、原稿供給ローラ３２は、最上位の原稿に当接し、原稿読取や複写をする旨の入力が複写機２に入力されると、原稿搬送路３３に原稿を送り出す。送り出された原稿は、複数の原稿搬送ローラ対３４やガイドに導かれ、画像読取部４上面の送り読取用コンタクトガラス４１ａの上面を通過する。この通過の際、画像読取部４が読取を行う。そして、読取が完了した原稿は、原稿排出ローラ対３５から原稿排出トレイ３６に排出される（原稿搬送経路を２点鎖線で図示）。尚、上記の各回転体（原稿排出ローラ対３５等）は、原稿搬送モータＭ３（図４参照）を駆動源として回転する。
【００３２】
次に、本実施形態における画像読取部４を説明する。図１や図２に示すように、画像読取部４は、箱形の筐体を有する。そして、画像読取部４の上面に、図２の左方から、板状の送り読取用コンタクトガラス４１ａ、載置読取用コンタクトガラス４１ｂが配される。送り読取用コンタクトガラス４１ａは、原稿搬送部３により搬送される原稿が通過する面である。一方、載置読取用コンタクトガラス４１ｂは、書籍や新聞、原稿を１枚ずつ読み取る場合、原稿搬送部３を持ち上げ、読取面を下向きに原稿が載置される面である。
【００３３】
又、図２に示すように、画像読取部４の筐体内には、第１移動枠４２ａ、第２移動枠４２ｂ、ワイヤ４３、巻取ドラム４４、レンズ４５と、原稿に光を照射するランプ４６と、ランプ４６から原稿に照射された光の反射光が入射され、１ライン毎に原稿を読み取り、画像データを生成するためのイメージセンサ４７等が配される。イメージセンサ４７は、例えば、ライン状に光電変換素子を並べたＣＣＤ（Charge Coupled Device）で構成され、原稿の反射光を元に、１ライン毎に原稿を読み取る。従って、一枚の原稿を読み取って得られた画像データは、複数ラインの読取結果の合成となる。
【００３４】
そして、第１移動枠４２ａは、上方に、載置読取用コンタクトガラス４１ｂに載置された原稿等に光を照射するランプ４６（放電により発光するランプ４６、例えば、冷陰極ランプ、キセノンランプ、蛍光ランプ）を、下方に第１ミラー４８ａを支持する。尚、ランプ４６、各ミラー４８は、図２の紙面垂直方向に延びる形状である。
【００３５】
第２移動枠４２ｂは、上方に第２ミラー４８ｂを、下方で第３ミラー４８ｃを支持する。又、第１移動枠４２ａは第２移動枠４２ｂの上方に配される。又、この第１移動枠４２ａ及び第２移動枠４２ｂには複数本のワイヤ４３が取り付けられ（図２では、１本のみ図示）、ワイヤ４３の他端が巻取ドラム４４に接続され、巻取モータＭ４（図４参照）を駆動源として、巻取ドラム４４が正逆回転し、第１移動枠４２ａと第２移動枠４２ｂが水平方向に自在に移動する。即ち、原稿の一端縁から対向する端縁に向けて順次、光を照射するため、スキャナ１は、ランプ４６の長手方向と垂直な方向でランプ４６を移動させる駆動機構として、第１移動枠４２ａ、ワイヤ４３、巻取ドラム４４、駆動源としての巻取モータＭ４（モータ）を有する。
【００３６】
ここで、具体的な原稿読取動作の一例を説明しておく。まず、原稿搬送部３により搬送される原稿を読み取る場合、原稿載置トレイ３１から搬送された原稿は、送り読取用コンタクトガラス４１ａの上面を通過しつつ搬送される。そして、送り読取用コンタクトガラス４１ａの下方位置（読み取り位置）に、巻取モータＭ４の駆動により、第１移動枠４２ａと第２移動枠４２ｂが固定され、通過する原稿に対し、ランプ４６が光を照射する。
【００３７】
ランプ４６から発せられた光は、送り読取用コンタクトガラス４１ａ上の原稿に当たり、その反射光を第１ミラー４８ａは、画像読取部４の左側面方向に向けて反射し、その光路上に第２ミラー４８ｂが配され、第２ミラー４８ｂは下方に向け光を反射し、その光路上に第３ミラー４８ｃが配され、第３ミラー４８ｃは、スキャナ１の右方に向け光を反射する。その後、反射光は、レンズ４５に集光され、イメージセンサ４７に入射され、画像濃度に応じたアナログの電気信号に変換される。この原稿の主走査方向（原稿搬送方向と垂直な方向）にライン単位で読取を行い、このライン単位の読取を副走査方向（原稿搬送方向）に連続して繰り返し行うことで、１枚の原稿が読み取られる。
【００３８】
一方、載置読取用コンタクトガラス４１ｂ上に載置された原稿を読み取る場合、第１移動枠４２ａ及び第２移動枠４２ｂを巻取ドラム４４やワイヤ４３等により、ホームポジションから図２の右方向に水平に移動させ、走査動作を、順次原稿端部まで連続的に行うことで、原稿画像全体が読み取られ、原稿画像が電気信号に変換される。
【００３９】
更に、本実施形態のスキャナ１では、原稿排出ローラ対３５の近傍に、原稿搬送部３が搬送する原稿に対し、イメージセンサ４７が読み取る面の裏面を、ＣＩＳ（Contact Image Sensor）方式で読み取る固定式のＣＩＳユニット７（コンタクトイメージセンサユニットに相当）が設けられる。このＣＩＳユニット７を備えることにより、両面印刷された原稿に対し、スイッチバック等の特別な搬送機構を備えることなく、一回の原稿搬送で、原稿の両面を読み取ることができる。尚、ＣＩＳユニット７を利用した両面同時読取は例えば、複写機２に設けられる操作パネル（不図示）への入力等で、選択・実行できる。
【００４０】
このＣＩＳユニット７は、別途、原稿に光を照射するランプ７１、ランプ７１に接続され、ランプ７１の電極に印加する電圧の極性を反転させ（電圧の大きさを切り換え）、ランプ７１を点灯させるインバータ７２、レンズ７３、原稿に照射された光が入射され、光電変換素子がライン状に並べられ、１ライン毎に原稿を読み取るイメージセンサ７０（例えば、ＣＣＤ）等を一体化したものである（図４参照）。尚、ＣＩＳユニット７は、原稿搬送部３内に設けられるが、説明の便宜上、画像読取部４に属するものとし、ＣＩＳユニット７の詳細は後述する。
【００４１】
（複写機２のハードウェア構成）
次に、図３に基づき本発明の第１の実施形態に係る複写機２のハードウェア構成の一例を説明する。図３は、本発明の第１の実施形態に係る複写機２の構成の一例を示すブロック図である。
【００４２】
まず、複写機２内のメイン基板上の本体制御部２０には、中央演算処理装置として、ＣＰＵ２１が設けられ、ＲＡＭ（Random Access Memory）やＲＯＭ（Read Only Memory）やＨＤＤ（Hard disk drive）やフラッシュＲＯＭ等の不揮発性と揮発性のメモリからなるメモリ部２２を有する。記憶部２２は、複写機２を制御するためのプログラム、データ等が記憶される。そして、本体制御部２０には、シート供給部５０、シート搬送路５２、画像形成部６０、定着部６７と接続され、本体制御部２０は、シート搬送や、トナー像形成等、接続される各部の動作制御を行う。又、本体制御部２０は、スキャナ１も接続され、動作指示を与える（詳細は後述）。そして、本体制御部２０は、複写時には、読み取った原稿の画像データを受け取り、その画像データに基づき、印刷を行わせる。
【００４３】
又、本体制御部２０には、Ｉ／Ｆ回路２３が接続され、このＩ／Ｆ回路２３を介して、ネットワーク等により、１又は複数のユーザ端末１００（例えば、パーソナルコンピュータ）を接続することができる。この接続により、複写機２は、ユーザ端末１００から画像データや印刷設定データの送信を受けて、印刷を行うことができる。又、スキャナ１を利用して読み取った原稿の画像データをユーザ端末１００に送信することもできる。
【００４４】
（スキャナ１のハードウェア構成）
次に、図４に基づき、本発明の第１の実施形態に係るスキャナ１のハードウェア構成の一例を説明する。図４は、本発明の第１の実施形態に係るスキャナ１の構成の一例を示すブロック図である。
【００４５】
上述したように、本実施形態のスキャナ１は、原稿搬送部３と画像読取部４で構成され、原稿搬送部３には、原稿搬送部３の制御を行う原稿搬送制御部８が設けられ、画像読取部４には、画像読取部４の制御を行う読取制御部９（制御部に相当）が設けられる。
【００４６】
そこで、原稿搬送制御部８を説明する。原稿搬送制御部８は、上述の本体制御部２０と接続され、本体制御部２０からの指示を受けて、原稿搬送部３の動作制御を行う。そして、原稿搬送制御部８は、中央演算処理装置としてのＣＰＵ８１、ＲＯＭ８２、ＲＡＭ８３等を有する。ＣＰＵ８１は、本体制御部２０との通信を制御し、又、本体制御部２０の指示を受け、原稿搬送部３の動作制御を行う。例えば、本体制御部２０から原稿の読み取り指示があった場合、原稿搬送モータＭ３を駆動させて、原稿供給ローラ３２、原稿搬送ローラ対３４等を回転させる。ＲＯＭ８２、ＲＡＭ８３は、制御用のプログラムやデータを記憶し、展開するためのメモリである。又、ＣＰＵ８１には、原稿検知センサ３７の出力が入力され、これにより、原稿搬送制御部８は、原稿載置トレイ３１に原稿が存在するかを検知する。
【００４７】
次に、画像読取部４の筐体内の構成と、インバータ７２とランプ７１とイメージセンサ７０を一体的に構成したＣＩＳユニット７と、読取制御部９の詳細な構成を説明する。
【００４８】
まず、画像読取部４の筐体内に、巻取ドラム４４を回転させるための巻取モータＭ４、ランプ４６、ランプ４６に接続され、ランプ４６の２つの電極に印加する電圧の極性を反転させ（電圧の大きさを切り換え）、ランプ４６を点灯させるインバータ９５、イメージセンサ４７が設けられる。これらは、原稿台としての載置読取用コンタクトガラス４１ｂや原稿搬送部３に搬送される原稿を読み取るための構成である。インバータ９５は、ランプ４６を点灯させるために、ランプ４６の両電極に印加される電圧の極性を切り換える（電圧の大きさを切り換える）。ランプ４６は、原稿に光を照射する。イメージセンサ４７は、ライン状に光電変換素子が並べられ、原稿の反射光を電荷として蓄え、この蓄えられた電荷を電気信号として用い、画像データを得るためのものである。
【００４９】
次に、ＣＩＳユニット７について説明する。
【００５０】
実施形態の原稿搬送部３に取り付けられるＣＩＳユニット７には、画像読取部４の筐体内に設けられるものとは別に、インバータ７２、ランプ７１、レンズ７３、イメージセンサ７０が設けられる。そして、ＣＩＳユニット７は、これらの部材、部品が一体化され、ユニット化されている。尚、可能であれば、インバータ７２を設けず、画像読取部４の筐体内のインバータ９５の出力をランプ７１に印加して、共用化してもよい。
【００５１】
尚、基本的に、各部材、部品の動作、機能は、画像読取部４内に設けられたものと同様である。インバータ７２は、ランプ７１を点灯させるため、ランプ７１の両電極に印加される電圧の極性を切り換える（電圧の大きさを切り換える）。ランプ７１は、原稿に光を照射する。レンズ７３は、原稿の反射光をイメージセンサ７０に導く。イメージセンサ７０は、ライン状に光電変換素子が並べられ、原稿の反射光を電荷として蓄え、この蓄えられた電荷を電気信号として用い、イメージセンサ４７の読取面の裏面の画像データを得るためのものである。
【００５２】
そして、図４に示すように、本体制御部２０と接続される読取制御部９は、ＣＰＵ９１（クロック信号生成部に相当）が設けられ、記憶装置として、ＲＯＭ９２（記憶部に相当）、ＲＡＭ９３が設けられる。ＲＯＭ９２は、スキャナ１の制御に必要なプログラム、データを記憶する不揮発性メモリである。ＲＡＭ９３は、スキャナ１の制御を行う際のプログラムやデータ等、各種プログラム、データが展開される揮発性のメモリである。そして、例えば、コピーを行う旨が複写機２に入力され、本体制御部２０から読取実行指示が与えられた場合等、本体制御部２０の指示を受け、制御部は、スキャナ１の動作制御や、読み取って得られた画像データの本体制御部２０への送信制御を行う。
【００５３】
そして、読取制御部９には、ＡＳＩＣ９４（同期信号生成部に相当）や、画像読取部４の筐体内のイメージセンサ４７、及びランプ４６を点灯させるインバータ９５、ＣＩＳユニット７、巻取モータＭ４等が接続される。そして、原稿読取時、読取制御部９は、各部材を制御し、ランプ４６の点灯や、巻取ドラム４４による各移動枠を移動や、イメージセンサ４７の駆動や、両面読取時にＣＩＳユニット７を駆動させ、各部の制御を行う。
【００５４】
ここで、読取制御部９のＣＰＵ９１は、各インバータ（インバータ９５、インバータ７２）に入力するためのクロック信号ＣＬＫ１を生成する。そのため、ＣＰＵ９１は、クロック発振器９１ａを内蔵する。このクロック発振器９１ａには、例えば、発振用ＩＣにコンデンサや抵抗を接続したり、ＬＣ発振回路、水晶発振回路、ＲＣ発振回路等の発振を利用してクロック信号ＣＬＫ１を生成する。そして、各インバータは、クロック信号ＣＬＫ１に基づいて、各ランプの電極に印加する電圧の極性を切り換える（電圧の大きさを切り換える）。言い換えると、各ランプ（ランプ４６、ランプ７１）は、クロック信号ＣＬＫ１に基づき点灯する。
【００５５】
そして、ＡＳＩＣ９４は、読取において、イメージセンサ４７、７０の１ライン周期Ｔごとの同期をとるため、同期信号ＨＳＹＮＣを生成し、同期信号ＨＳＹＮＣをＣＰＵ９１、画像読取部４の筐体内のイメージセンサ４７、ＣＩＳユニット７のイメージセンサ７０等に入力することができる。このＡＳＩＣ９４の発する同期信号ＨＳＹＮＣにより、１ラインあたりの周期Ｔが定まり、ＣＰＵ９１は、１ラインあたりの周期Ｔを認識する。
【００５６】
更に、ＡＳＩＣ９４は、１ラインの周期中において、各イメージセンサ（イメージセンサ４７、イメージセンサ７０）の各光電変換素子から電荷を転送するためのクロック信号ＣＬＫ２を生成し、各イメージセンサに生成したクロック信号ＣＬＫ２を入力する。このクロック信号ＣＬＫ２に基づき、各イメージセンサは、各画素（各光電変換素子）から蓄えられた電荷を順次１画素ずつ転送する。
【００５７】
例えば、各イメージセンサが６００ｄｐｉでＡ４サイズに対応するものであれば、１インチ＝２．５４センチメートルとし、Ａ４縦を２９センチメートルと仮定すれば、２９÷２．５４×６００＝６８５０（ドット）となり、約７０００個の画素がイメージセンサ４７及びイメージセンサ７０に備えられていることになる。そこで、ＡＳＩＣ９４は、同期信号ＨＳＹＮＣの間、即ち、１ラインあたりの周期Ｔの間に、例えば、７０００回のクロック信号ＣＬＫ２を、各イメージセンサに入力する。そして、各イメージセンサは、クロック信号ＣＬＫ２に合わせて、１画素ごとに蓄えられた電荷を、順次、例えば、Ａ／Ｄ変換部９７に転送する。尚、ＡＳＩＣ９４がＡ／Ｄ変換機能を有すれば、各画素の電荷をＡＳＩＣ９４に転送すればよい。
【００５８】
このように、ＡＳＩＣ９４の１ライン分の各画素の読み出し開始から、次の１ラインの読み出し開始までの時間が、１ラインあたりの周期Ｔともいえる。尚、ＡＳＩＣ９４の読み出しにおけるクロック信号ＣＬＫ２のクロック周波数は、１ラインあたりの周期Ｔの間に、各イメージセンサの１ラインの画素数分（例えば７０００画素）だけ入力できる周波数であれば良く、特に制限はない。
【００５９】
そして、スキャナ１内には、画像読取部４の筐体内のイメージセンサ４７やＣＩＳユニット７のイメージセンサ７０によって得られた各画素（各光電変換素子）のアナログの電気信号の転送を受け、ディジタル信号に変換するＡ／Ｄ変換部９７や、複数ライン分のディジタル信号を保持する画像メモリ９８が搭載される。この画像メモリ９８内の画像データは、本体制御部２０に送信され、更に、画像処理後、露光装置６３による露光に用いられ、又は、ユーザ端末１００等に送信される。尚、Ａ／Ｄ変換部９７と画像メモリ９８は、図４では、各１つのみ図示しているが、画像読取部４の筐体内のイメージセンサ４７用とＣＩＳユニット７のイメージセンサ７０用に別個に設けられても良い。
【００６０】
具体的に、Ａ／Ｄ変換部９７は、イメージセンサ４７から出力される原稿のアナログ信号を、画素ごと（光電変換素子ごと）にＡ／Ｄ変換し、ディジタル信号に変換する。Ａ／Ｄ変換部９７は、アナログ信号をサンプルホールドし、アナログ信号の出力（電流又は電圧）の大きさに合わせて量子化を行い、各画素の濃度値を得る。このＡ／Ｄ変換を全ライン、全画素について行えば、１枚の原稿のディジタルの画像データが得られる。
【００６１】
そして、ＣＰＵ９１は、タイマ機能を利用して一定時間内に入力されたＡＳＩＣ９４からの同期信号ＨＳＹＮＣのクロック数をカウントする。一定時間をクロック数で割れば、１ラインあたりの周期Ｔが求まる。尚、その周期Ｔの逆数が、同期信号ＨＳＹＮＣの周波数となる。読み取りにおける１ラインあたりの周期Ｔを求めることができれば、巻取モータＭ４とワイヤ４３を利用したランプ４６の移動速度も決定できる。即ち、１ラインあたりの幅は決まっており、例えば、１ラインの幅が６００ｄｐｉを基準とすれば、１インチ＝２５．４ミリメートルとすると、１ラインの幅Ｗは、
Ｗ  ＝  ２．５４  ÷  ６００  ≒０．０４２ミリメートル
となる。従って、０．０４２ミリメートルを１ラインあたりの周期Ｔで割れば、画像読取部４内のランプ４６を移動させるべき理想的なランプ移動速度が求められる。
【００６２】
更に、原稿搬送部３により原稿を読み取る場合（ランプ４６を送り読取用コンタクトガラス４１ａで固定、又は、ＣＩＳユニット７による読み取りの場合）も同様に、理想的な原稿搬送速度は、１ラインあたりの周期Ｔと１ラインあたりの幅から求められる。
【００６３】
具体的に、理想的なランプ移動速度とするために、読取制御部９は、巻取モータＭ４の回転速度を制御すればよい。又、理想的な原稿搬送速度をとするためには、読取制御部９が原稿搬送制御部８に理想の原稿搬送速度を指示し、原稿搬送制御部８のＣＰＵ８１が、原稿搬送モータＭ３の回転速度を制御すればよい。例えば、巻取モータＭ４と、原稿搬送モータＭ３にステッピングモータを用いるならば、各モータに入力するパルスの速度を変更すればよい。
【００６４】
ここで、各インバータでは、定期的にノイズが発生する場合があり、そのノイズが読み取って得られた画像データに影響を与え、スジが発生することがあるが、特に、インバータ７２、ランプ７１、イメージセンサ７０の距離が近いＣＩＳユニット７により読み取られた画像データにノイズの影響が出やすい。そこで、以下の説明では、ＣＩＳユニット７と、ノイズの影響によるスジの発生防止策について説明する（尚、以下では、便宜上、ＣＩＳユニット７について説明するが、インバータ９５でランプ４６を点灯させ、イメージセンサ４７で読み取って得られる画像データも同様のことが言える）。
【００６５】
（ＣＩＳユニット７の詳細とクロック周波数のランダム変化）
次に、図５乃至図７に基づき、本発明の第１の実施形態に係るスキャナ１のＣＩＳユニット７の詳細と、スジの発生原因及び発生防止策について説明する。図５は、本発明の第１の実施形態に係る画像読取部４のうち、ＣＩＳユニット７に関する構成を抜粋したブロック図である。図６（ａ）は、本発明の第１の実施形態に係るインバータ７２の出力電圧波形と、ランプ発光の一例を示す説明図である。（ｂ）は、ノイズの影響によりスジが発生した場合の一例を示す説明図である。図７は、本発明の第１の実施形態に係るインバータ７２に入力するクロック信号ＣＬＫ１のクロック周波数のランダム変化を説明するためのグラフである。
【００６６】
まず、図５に基づき、原稿搬送部３内に設けられるＣＩＳユニット７の構成、動作を説明する。
【００６７】
図５に示し、又、上述したように、本実施形態のＣＩＳユニット７は、インバータ７２、ランプ７１、レンズ７３、イメージセンサ７０等を有する。そして、ＣＩＳユニット７のランプ７１も、画像読取部４のランプ４６と同様に、例えば、冷陰極ランプ、キセノンランプ、蛍光ランプ等の放電により発光するランプを用いる。又、イメージセンサ７０も、同じ解像度で読み取れるように、イメージセンサ４７と、同数の光電変換素子をライン状に並べることができる。尚、レンズ７３は、反射光をイメージセンサ７０に導く。そして、ＣＩＳユニット７のランプ７１を点灯させるため、インバータ７２が設けられる。
【００６８】
このインバータ７２には、フルブリッジ回路７２ａと、昇圧トランス７２ｂが設けられる。尚、フルブリッジ回路７２ａには、電源装置（不図示）から、直流電圧が入力される。そして、フルブリッジ回路７２ａは、複数の半導体スイッチング素子（例えば、ＦＥＴやトランジスタ）を備える。又、ＣＰＵ９１からフルブリッジ回路７２ａに向け、クロック信号ＣＬＫ１が出力され、クロック信号ＣＬＫ１に応じて、フルブリッジ回路７２ａの各半導体スイッチング素子のＯＮ／ＯＦＦが切り換えられる。これにより、フルブリッジ回路７２ａの出力としての２本のアームＡｒに印加される電圧は、クロック信号ＣＬＫ１に合わせて極性（大小関係）が入れ替わる。例えば、２本のアームＡｒの出力は、矩形波状の交流となる。
【００６９】
そして、フルブリッジ回路７２ａの出力（アームＡｒ）は、ランプ７１を点灯させるだけの電圧を得るため（例えば、冷陰極ランプで１０００Ｖ程度）、昇圧トランス７２ｂの一次側に入力される。昇圧トランス７２ｂの二次側に、ＣＩＳユニット７のランプ７１が接続される。尚、用いるランプによって、昇圧トランス７２ｂがなくてもランプを点灯できる場合もあり得るので、その場合、昇圧トランス７２ｂは不要となる。このように、インバータ７２は、クロック周波数にあわせて動作し、ランプ７１の両電極に印加される電圧の極性を切り換える（電圧の大きさを切り換える）。これにより、ランプ７１の電極から電子が放出され、ランプ７１内のガスに電子が衝突し、この衝突により紫外線を発生させ、紫外線が蛍光体にあたり、ランプ７１が発光する。
【００７０】
次に、図６に基づき、本発明の実施形態に係るランプ７１の発光とノイズの発生と、発生したノイズによるスジの発生について説明する。
【００７１】
まず、図６（ａ）について説明する。図６（ａ）の上段の波形は、ランプ７１の電極に印加される電圧の波形を示している。この電圧波形では、破線丸印で示すように、波形の立ち上がり時にオーバーシュートが、立ち下がり時にアンダーシュートが生じている。このオーバーシュート量、アンダーシュート量は、接続される負荷や、電圧の時間あたりの変化量が関係するとされる。
【００７２】
そして、図６（ａ）の下段の波形は、ランプ７１の出力（光量）を示すものであり、オーバーシュート、アンダーシュート時に一時的に、ランプ発光量は、大きくなっている。このように、ＣＩＳユニット７のインバータ７２の出力電圧は、オーバーシュート、アンダーシュート時に大きくなり、高周波成分を含む。そして、インバータ７２は、昇圧トランス７２ｂの存在等により発生する磁界が大きく、又、流れる電流も多い点等を勘案すると、オーバーシュート時とアンダーシュート時、インバータ７２やその出力電圧が印加されるランプ７１の電極等から発生するノイズが大きくなり、他回路に影響を与え得る。
【００７３】
このノイズが、ライン中のほぼ決まった位置の画素に影響を与え、これが、図６（ｂ）に示すように、ランプ７１の長手方向（主走査方向）に対して垂直な方向（副走査方向）に延びるスジとして現れることがある。
【００７４】
このスジの原因としては、従来、１ラインの周期中の蓄積光量を各ラインで均等にするため、インバータ７２の駆動周波数（極性切替周波数）を定めるため、ＣＰＵ９１の発するクロック信号ＣＬＫ１のクロック周波数は、ＡＳＩＣ９４が発する同期信号ＨＳＹＮＣの周波数の整数分の１となる関係に設定していた。しかし、この周波数の関係では、１ラインの周期中で、ほぼ一定のタイミングでノイズ（オーバーシュート等）が発生し得る。
【００７５】
更に、ＡＳＩＣ９４からの電荷転送用のクロック信号ＣＬＫ２も、同期信号ＨＳＹＮＣに基づき、一定のタイミングで、イメージセンサ７０に入力されていた。従って、大きなノイズ発生時に電荷が転送される画素（光電変換素子）がほぼ一定となることがある。従って、ノイズが、転送される電荷に影響を与え、スジが発生していることが考えられる。その他、決まった位置の画素へのノイズの影響は、インバータ７２とイメージセンサ７０の位置関係にも関係すると考えられる。そこで、図５に戻り、ノイズの影響により発生するスジを抑制するための構成について説明する。
【００７６】
上述したように、ＣＩＳユニット７のインバータ７２は、ＣＰＵ９１からのクロック信号ＣＬＫ１を利用して極性反転を行っているが、このクロック信号ＣＬＫ１のクロック周波数が一定であれば、一定のタイミングでノイズが発生する。そこで、ＣＰＵ９１は、インバータ７２に供給するクロック信号ＣＬＫ１のクロック周波数をランダムに変更する。即ち、ＣＰＵ９１は、クロック信号ＣＬＫ１を発生し、ランダムにクロック信号ＣＬＫ１のクロック周波数を変化させるクロック信号発生部として機能する。ここで、ランダムとは、周期的にクロック周波数を変化させるのではなく、不規則にクロック周波数を変化させることを意味し、ノイズの影響を受けた画素の位置が固定されなければ良い。
【００７７】
そして、インバータ７２は、ＣＰＵ９１からのランダムなクロック信号ＣＬＫ１が入力されるとともに、クロック信号ＣＬＫ１に基づきランプ７１の電極に印加する電圧の極性を反転させる（電圧の大きさを反転させる）。これにより、ラインで、ノイズの影響を大きく受ける画素（光電変換素子）の位置が固定されることがなくなり、ノイズの影響を大きく受ける画素の位置を分散させることができる。
【００７８】
具体的には、読取制御部９のＲＯＭ９２（メモリ部に相当）に、クロック信号ＣＬＫ１のクロック周波数をランダムとするためのプログラムを記憶させておき、プログラムによるソフトウェア制御によりＣＰＵ９１が発生するクロック信号ＣＬＫ１を変化させる。このとき、基本的に、クロック信号ＣＬＫ１のクロック周波数は、同期信号ＨＳＹＮＣの周波数の整数倍となる関係とはならない。又、予め、クロック周波数が不規則に変化するように、複数ライン分のＣＰＵ９１が発すべきクロック周波数のスケジュールを定めたデータを作成しておき、例えば、ＲＯＭ９２に記憶しておく。そして、ＣＰＵ９１は、スケジュールに定められたクロック周波数に基づき、スケジュールをループしつつクロック信号ＣＬＫ１を出力するようにしてもよい。
【００７９】
具体的には、ＣＰＵ９１は、ＣＰＵ９１内の、又は具備されるクロック発振器９１ａを制御する。クロック発振器９１ａは、例えば、ＶＣＯ（電圧制御発振器）方式のものとし、ＣＰＵ９１がＶＣＯに印加する直流電圧をランダムに変化させれば、クロック信号ＣＬＫ１のクロック周波数をランダムに変化させることができる。この場合、ＣＰＵ９１は、ソフトウェアによってＶＣＯに印加する直流電圧をランダムに決定する。即ち、スキャナ１は、ＣＰＵ９１に発生させるクロック周波数をランダムに決定するプログラムを記憶するメモリ部を有し、ＣＰＵ９１は、プログラムにより決定されたクロック周波数に基づきランダムにクロック周波数を変化させる。
【００８０】
そして、図５に示すように、ＣＰＵ９１には、ＡＳＩＣ９４が発する同期信号ＨＳＹＮＣが入力される。この同期信号ＨＳＹＮＣを利用して、ＣＰＵ９１は、クロック信号ＣＬＫ１のクロック周波数を同期信号ＨＳＹＮＣが入力されるごとに変化させる。その変化の様子を図７に示す。即ち、クロック信号発生部としてのＣＰＵ９１には、同期信号ＨＳＹＮＣが入力され、ＣＰＵ９１は、同期信号が入力されるごとに、ランダムにクロック信号ＣＬＫ１のクロック周波数を変化させる。この点を図７に基づき説明する。
【００８１】
まず、図７の最上段のタイミングチャートは、ＡＳＩＣ９４が発する同期信号ＨＳＹＮＣのパルスである。このパルス間が１ラインあたりの周期Ｔとなる。そして、パルスの立ち上がり（立ち下がりでもよい）ごとに、一定数のクロック信号ＣＬＫ１がインバータ７２に入力され、ＣＩＳユニット７のランプ７１が１ライン期間中に点滅を複数回繰り返すことになる。そして、タイミングチャートの下段のグラフは、同期信号ＨＳＹＮＣ間のクロック信号ＣＬＫ１のクロック周波数の推移を示している。このグラフの縦軸は、クロック信号ＣＬＫ１のクロック周波数を示し、同期信号ＨＳＹＮＣ、即ち、１ラインの周期Ｔごとにクロック周波数がランダムに変化することを示している。
【００８２】
まず、グラフ中のｆｏは、基準となるクロック周波数であって、例えば、同期信号ＨＳＹＮＣの周波数の整数倍（例えば、１０倍〜１５倍）となる関係のときの、クロック信号ＣＬＫ１のクロック周波数である。そして、本実施形態のスキャナ１は、クロック信号ＣＬＫ１のクロック周波数をある一定の幅の間でランダムに変化させる。そして、図７でのｆｍａｘは、クロック周波数の上限値であり、ｆｍｉｎは、クロック周波数の下限値である。従って、クロック信号ＣＬＫ１のクロック周波数は、ｆｍａｘとｆｍｉｎの間でランダムに変化させられる。
【００８３】
具体的に、ｆｍａｘとｆｍｉｎは任意に定められる周波数であるが、１ラインあたりの蓄積光量が大きく変わることを避けるため、１ラインにおけるランプ７１の発光回数が所定回数以上異ならないように設定することができる。例えば、同期信号ＨＳＹＮＣ間にランプ７１を１０回点灯させ、所定回数を１回とすれば、１回÷１０回＝０．１なので、基準周波数ｆｏに対し、周波数の±１０％の範囲でランダムにクロック周波数が変化する。そうすると、以下のような関係になる。
ｆｏ−０．１ｆｏ（＝ｆｍｉｎ）＜ｆｏ＜ｆｏ＋０．１ｆｏ（＝ｆｍａｘ）
即ち、ＣＰＵ９１は、１ラインあたりの周期Ｔ内のランプ点灯回数が、基準となる周波数ｆｏのクロック信号ＣＬＫ１をインバータ７２に入力した際の１ラインあたりの周期内のランプ７１の点灯回数と、所定回数以上異ならない範囲でランダムにクロック周波数を変化させる。
尚、この所定回数は、任意に定めることができる回数であり、必ずしも整数である必要はなく、例えば、０．５回、０．３回、０．１回のように、小数点以下の回数でもよい。又、基準周波数ｆｏ〜ｆｍａｘと基準周波数ｆｏ〜ｆｍｉｎの幅は同じでなくてもよい。
【００８４】
尚、上記実施形態の説明では、ＣＩＳユニット７で読み取った画像データのスジ発生防止を説明したが、画像読取部４の筐体内に設けられるインバータ９５、ランプ４６、イメージセンサ４７による読取でも事情は同様であり、ノイズの影響でスジが発生する可能性がある。そこで、図４に示すように、クロック信号ＣＬＫ１は、インバータ９５にも入力され、イメージセンサ４７で読み取られる画像データにもスジの発生はない。言い換えると、本発明は、画像読取部４の筐体内の構成を利用した原稿の読取にも適用される。
【００８５】
次に、図８を用いて、本発明の第２の実施形態について説明する。図８は、本発明の第２の実施形態に係る画像読取部４のうち、ＣＩＳユニット７に関する構成を抜粋したブロック図である。
【００８６】
第１の実施形態では、ＣＰＵ９１がソフトウェア制御によってランダムにクロック信号ＣＬＫ１のクロック周波数を変化させていたが、本実施形態では、ＣＰＵ９１以外に、別途クロック発振器としてのハードウェアを設ける点で異なる。尚、他の点においては、第１の実施形態と同様であるので、同様の点は、説明及び図示を省略する。
【００８７】
そして、図８では、クロック発振器の一例として、ＳＳＣＧ−ＩＣ９１ｂ（Spread Spectrum Clock Generator、クロック信号生成部に相当）を設ける。言い換えると、第１の実施形態では、インバータ７２に入力するクロック信号ＣＬＫ１をＣＰＵ９１が生成していたが、本実施形態では、クロック信号ＣＬＫ１を発生し、ランダムにクロック信号ＣＬＫ１のクロック周波数を変化させるクロック信号発生部としての機能をＳＳＣＧ−ＩＣ９１ｂが負う。ここで、ＳＳＣＧ−ＩＣ９１ｂとは、周波数変調機能付きクロック発生回路であり、クロック信号を微少（例えば、±数％の範囲）に変調させる。一般に、ＳＳＣＧ−ＩＣ９１ｂは、ノイズ対策（ＥＭＩ対策）のために用いられ、予め決められたプロファイル等を用いてクロック周波数を周期的に変動させるが、本実施形態では、スジの発生を防ぐために、クロック信号ＣＬＫ１のクロック周波数をランダムに変化させるために用いる。例えば、プロファイルを変更して、ＳＳＣＧ−ＩＣ９１ｂからのクロック信号ＣＬＫ１のクロック周波数を不規則に変化させる。即ち、本実施形態のスキャナ１は、クロック信号発生部として、発生するクロック信号をランダムに変化させるクロック発振器としてのＳＳＣＧ−ＩＣ９１ｂを有する。
【００８８】
そして、インバータ７２は、ＳＳＣＧ−ＩＣ９１ｂが生成したクロック信号ＣＬＫが入力されるとともに、クロック信号ＣＬＫ１に基づきランプ７１の電極に印加する電圧の極性を反転させる（電圧の大きさを反転させる）。又、クロック周波数を変化させるタイミングを決定するため、ＡＳＩＣ９４から同期信号ＨＳＹＮＣをＳＳＣＧ−ＩＣ９１ｂにも入力し、同期信号ＨＳＹＮＣの変化（例えば、立ち上がり）に同期し、ＳＳＣＧ−ＩＣ９１ｂの発するクロック信号ＣＬＫ１のクロック周波数が変更されても良い。即ち、クロック信号発生部としてのＳＳＣＧ−ＩＣ９１ｂには、同期信号ＨＳＹＮＣが入力され、ＳＳＣＧ−ＩＣ９１ｂは、同期信号が入力されるごとに、ランダムにクロック信号ＣＬＫ１のクロック周波数を変化させる。
【００８９】
このようにして、第１の実施形態及び第２の実施形態におけるスキャナ１によれば、クロック信号発生部（ＣＰＵ９１又はＳＳＣＧ−ＩＣ９１ｂ）が、ランダムにクロック信号ＣＬＫ１のクロック周波数を変化させつつ、出力し、インバータ７２（及びインバータ９５）は、クロック信号ＣＬＫ１に基づき、ランプ７１（及びランプ４６）に印加する電圧の極性を反転させる（電圧の大きさを反転させる）ので、例えば、オーバーシュートを要因とするインバータ７２やランプ７１の電極等からのノイズの発生タイミングをずらすことができる。従って、ノイズの影響を受けたラインにおける画素の位置がランダムにずらされ、分散されるので、スジの発生を防ぐことができる。又、クロック信号発生部は、同期信号ＨＳＹＮＣが入力されるごとに、ランダムにクロック周波数を変化させることで、１ラインの周期Ｔごとにクロック周波数を変えることができる。従って、ノイズの影響を受けた画素の位置を１ラインごとに確実にずらすことができ、スジの発生を防ぐことができる。
【００９０】
又、基準となる周波数のクロック信号ＣＬＫ１をインバータ７２（及びインバータ９５）に入力した際の１ラインあたりの周期Ｔ内のランプ点灯回数と、所定回数以上異ならない範囲でランダムにクロック周波数を変化させるので、１ラインあたりの蓄積光量の変化を許容範囲内に抑えることができる。又、特に、ランプ７１とイメージセンサ７０が接近して配されるＣＩＳ方式ではランプ印加電圧のノイズの影響がイメージセンサ７０に出やすい場合があるが、この構成によれば、ＣＩＳ方式の画像読取装置（スキャナ１）であっても、ノイズに起因するスジの発生を防ぐことができる。
【００９１】
又、ＣＰＵ９１等によるソフトウェアによる計算によって、クロック周波数を変化させることができ、この場合、クロック周波数をランダムに変化させるための特別な回路構成が不要となり、画像読取装置の製造コストの削減を図ることができる。或いは、クロック信号発生部は、発生するクロック信号をランダムに変化させるクロック発振器（ＳＳＣＧ−ＩＣ９１ｂ）としてハードウェア化することもでき、この場合、ソフトウェア制御を行う場合に比べ、ＣＰＵ等の制御、演算素子の処理負担を軽減することができる。又、本実施形態のスキャナ１を搭載すれば、ノイズを要因とするスジの発生のない高品質の印刷を行うことができる画像形成装置（例えば、複写機２）を提供することができる。
【００９２】
以上、本発明の実施形態を説明したが、本発明の範囲はこれに限定されず、発明の主旨を逸脱しない範囲で種々の変更を加えて実施することができる。
【産業上の利用可能性】
【００９３】
本発明は、スキャナ等の画像読取装置やこれを備えた画像形成装置に利用可能である。
【図面の簡単な説明】
【００９４】
【図１】第１の実施形態に係る複写機の概略構成を示す正面視模型的断面図である。
【図２】第１の実施形態に係る複写機のスキャナ部分の拡大模型的断面図である。
【図３】第１の実施形態に係る複写機の構成の一例を示すブロック図である。
【図４】第１の実施形態に係るスキャナの構成の一例を示すブロック図である。
【図５】第１の実施形態に係る画像読取部のうち、ＣＩＳユニットに関する構成を抜粋したブロック図である。
【図６】（ａ）は、本発明の第１の実施形態に係るインバータ９５の出力電圧波形と、ランプ発光の一例を示す説明図である。（ｂ）は、ノイズの影響によりスジが発生した場合の一例を示す説明図である。
【図７】第１の実施形態に係るインバータに入力するクロック信号のクロック周波数のランダム変化を説明するためのグラフである。
【図８】第２の実施形態に係る画像読取部のうち、ＣＩＳユニットに関する構成を抜粋したブロック図である。
【符号の説明】
【００９５】
１          スキャナ（画像読取装置）      ２          複写機（画像形成装置）
７          ＣＩＳユニット（コンタクトイメージセンサユニット）
４６，７１  ランプ                        ７２，９５  インバータ
４７，７０  イメージセンサ
９          読取制御部
９１        ＣＰＵ（読取制御部の一部、クロック信号発生部）
９１ａ      ＳＳＣＧ−ＩＣ（クロック信号発生部、クロック発振器）
９２        ＲＯＭ（メモリ部）            ９４        ＡＳＩＣ（同期信号生成部）
ＣＬＫ１    クロック信号                  ＨＳＹＮＣ  同期信号
【図１】
2010028497.tif 000003
【図２】
2010028497.tif 000004
【図３】
2010028497.tif 000005
【図４】
2010028497.tif 000006
【図５】
2010028497.tif 000007
【図６】
2010028497.tif 000008
【図７】
2010028497.tif 000009
【図８】
2010028497.tif 000010